(57)【要約】【課題】携帯端末機器等において、外部端子にこじりなどの強い外力が加わり外部接続端子が印刷配線基板からパターン剥離してしまう不具合を防止する。【解決手段】印刷配線基板６に搭載した外部接続端子７を覆うようにコの字形状部５を有する充電端子４を印刷配線基板６に搭載する。この印刷配線基板６を収納したフロントケース８に対しリアカバー１を嵌合し両者をねじ１０で締結する。外部接続端子用開口部３、９から露出した外部接続端子７に外部端子１１を接続する。外部端子１１を上下こじるように動かした際、外部接続端子７が印刷配線基板６から剥離する方向に動いてしまうが、これを覆っている充電端子４に当接するため、外部端子１１の動きに対し印刷配線基板６を追従させる形となり、外部接続端子７に加わる剥離方向の力を阻止する。【選択図】      図１
2005079452.tif 000002
【特許請求の範囲】
【請求項１】
携帯端末機器の筐体を構成すべく互いに開閉可能に嵌合するリアカバー及びフロントケースと、前記筐体内に実装される印刷配線基板と、この印刷配線基板を介し前記リアカバーと前記フロントケースとを締結するねじと
、前記印刷配線基板上に搭載され前記リアカバー及び前記フロントケースに設けられた開口部から露出して外部端子と接続する外部接続端子と、前記印刷配線基板上の前記外部接続端子と近接する位置に前記リアカバーに設けられた窓部から露出するように搭載配置され且つ前記外部接続端子に前記外部端子が接続する際に前記外部接続端子に加わる前記印刷配線基板から剥離しようとする力を阻止するごとき形状の充電端子とを備えることを特徴とする外部接続端子保持構造。
【請求項２】
前記充電端子が前記外部接続端子を覆うごとき形状を有することを特徴とする請求項１記載の外部接続端子保持構造。
【請求項３】
前記充電端子が前記外部接続端子を覆うごときコ字状の形状を有することを特徴とする請求項１記載の外部接続端子保持構造。
【請求項４】
前記充電端子に代わり、前記外部接続端子に前記外部端子が接続する際に前記外部接続端子に加わる前記印刷配線基板から剥離しようとする力を阻止するごとき板状部材を備えることを特徴とする請求項１記載の外部接続端子保持構造。
【請求項５】
前記板状部材が前記外部接続端子を覆うごときコ字状の形状を有することを特徴とする請求項４記載の外部接続端子保持構造。
【請求項６】
前記携帯端末機器が、携帯電話機、ＰＨＳ電話機、コードレス電話機などの移動体電話機であることを特徴とする請求項１ないし５のいずれかに記載の外部接続端子保持構造。
【発明の詳細な説明】
【技術分野】
【０００１】
本発明は外部接続端子保持構造に関し、特に携帯電話機、ＰＨＳ電話機、コードレス電話機などの携帯端末機器における外部接続端子保持構造に関する。
【背景技術】
【０００２】
従来、この種の携帯端末機器における外部接続端子保持構造は、互いに開閉可能に嵌合するリアカバー及びフロントケースからなる筐体内において、印刷配線基板に搭載され半田付け等により印刷配線基板の配線パターンに連結された外部接続端子を、リアカバー等の筐体に設けた保持部材を利用して保持する構造になっている。従って、印刷配線基板がリアカバーを介してねじでフロントケースに締結固定されている状態において、外部接続端子に外部端子を接続した場合、外部端子の挿抜動作によってこじりなどの外力が加わると半田付け部に負荷がかかり、印刷配線基板と外部接続端子にパターン剥離方向の力が加わり半田付けパターン部が破損してしまうという問題がある。
【０００３】
また、このような問題の対策のために、印刷配線基板と外部接続端子を抱え込むような構造を採用した従来技術が、以下に示す特許文献１に開示されている。
【０００４】
【特許文献１】実開平６−６８１８７号公報（第６−８頁、図２−３）  この特許文献１によれば、図５（ａ）、（ｂ）に示すように、電子機器３０は互いに開閉可能に嵌合するリアカバー３１とフロントケース３２を有し、内部の印刷配線基板３４に半田付けにより搭載された外部接続端子３３がそのジャック部３３ａをリアカバー３１とフロントケース３２の側面から突出させ、図示しない外部端子と接続する。外部接続端子３３の本体３３ｂの上側には取付部３５が一体形成される。
【０００５】
リアカバー３１には、外部接続端子３３の取付部３５と対向する位置に箱状リブ３６が設けられ、箱状リブ３６には取付部３５の外側と内側を挟み込むような外側リブ３６ａと内側リブ３６ｂ及び取付部３５の上面を押圧する連結部３６ｃが形成されている。
【０００６】
このような構成の電子機器３０において、リアカバー３１とフロントケース３２が嵌合し、図示しないねじで互いに締結されたとき、取付部３５が箱状リブ３６の外側リブ３６ａ、内側リブ３６ｂ及び連結部３６ｃの間にはめ込まれ押圧されることによって、外部接続端子３３が印刷配線基板３４上に固定される。従って、外部接続端子３３のジャック部３３ａに外部端子が接続され挿抜されてこじりなどの外力が加わっても、外部接続端子３３が移動したり振動したりせず、半田付け部に負荷がかからないため、パターン剥離などの不具合を防止することができる。
【発明の開示】
【発明が解決しようとする課題】
【０００７】
上述した特許文献１においては、外部接続端子が箱状リブによって挟み込まれ押圧されるので、外部端子接続時に加わる外力などによるパターン剥離などの不具合を防止できる。
【０００８】
しかし、外部接続端子を挟み込み押圧するための箱状リブを筐体（リアカバー
）に特別に形成したり、また外部接続端子には箱状リブに挟み込まれ押圧される取付部を形成したりしなければならず、従って構成部品が複雑化し、製造費用がかさみ、またこれらを組み込む工数が余分に発生するなどの問題点がある。
【０００９】
本発明の目的は、上記従来の問題点を解消し、特別に複雑な部品を必要とせず、また少ない組立工数で実現できる、外部端子接続時の外力によるパターン剥離などを防止する外部接続端子保持構造を提供することにある。
【課題を解決するための手段】
【００１０】
本発明の外部接続端子保持構造は、携帯端末機器の筐体を構成すべく互いに開閉可能に嵌合するリアカバー及びフロントケースと、前記筐体内に実装される印刷配線基板と、この印刷配線基板を介し前記リアカバーと前記フロントケースとを締結するねじと、前記印刷配線基板上に搭載され前記リアカバー及び前記フロントケースに設けられた開口部から露出して外部端子と接続する外部接続端子と、前記印刷配線基板上の前記外部接続端子と近接する位置に前記リアカバーに設けられた窓部から露出するように搭載配置され且つ前記外部接続端子に前記外部端子が接続する際に前記外部接続端子に加わる前記印刷配線基板から剥離しようとする力を阻止するごとき形状の充電端子とを備えてなる。
【００１１】
この外部接続端子保持構造において、前記充電端子が前記外部接続端子を覆うごとき形状を有しており、特にコ字状の形状となっているのが好ましい。
【００１２】
また、前記充電端子に代わり、前記外部接続端子に前記外部端子が接続する際に前記外部接続端子に加わる前記印刷配線基板から剥離しようとする力を阻止するごとき板状部材を備えるようにしてもよく、前記板状部材が前記外部接続端子を覆うごときコ字状の形状を有するようにしてもよい。
【発明の効果】
【００１３】
第１の効果は、外部接続端子に外部端子が接続され挿抜されてこじりなどの強い外力が加わっても、外部接続端子が印刷配線基板からパターン剥離することを阻止する構造を可能にできる効果がある。
【００１４】
その理由は、外部接続端子を覆うごとき形状で充電端子を印刷配線基板に搭載実装することにより、充電端子を介して印刷配線基板が外部端子のこじり等の動きに追従するためである。
【００１５】
第２の効果は、外部接続端子の剥離強度を強化するための特別に複雑な部品を必要とせず、製造費用がかからず、また組立工数の削減を可能にできる効果がある。
【００１６】
その理由は、外部接続端子の剥離強度を強化するために利用する充電端子が、組み立て工程における印刷配線基板への自動搭載に対応できる部品となっているためである。
【発明を実施するための最良の形態】
【００１７】
次に、本発明について図面を参照して説明する。
【００１８】
図１は本発明の第１の実施の形態の外部接続端子保持構造の分解斜視図、図２は第１の実施の形態の動作を示す要部断面図である。
【００１９】
この実施の形態では、本発明にかかる外部接続端子保持構造を、携帯端末機器として使用される折畳み式携帯電話機に適用した場合を例にとって説明する。この実施の形態にかかる折畳み式携帯電話機は、図１に示すように、操作キーボタン等を備えたキー側筐体２０と、液晶表示部等を備えた表示側筐体（図示省略）とを備えており、これらキー側筐体２０と表示側筐体とがヒンジ部８ａを介して折畳み自在に連結される。以下、本発明にかかる外部接続端子保持構造を備えるキー側筐体２０のみについて、その構成を説明する。
【００２０】
キー側筐体２０は、互いに開閉可能に嵌合するリアカバー１及びフロントケース８からなり、リアカバー１とフロントケース８はねじ１０により互いに締結される。図１のフロントケース８の下面には操作キーボタン等が実装され、またフロントケース８の一端にはヒンジ部８ａを有する。
【００２１】
リアカバー１には２個の充電端子窓部２と外部接続端子用開口部３が設けられており、一方、フロントケース８には外部接続端子用開口部９が設けられている。リアカバー１とフロントケース８が嵌合したとき、外部接続端子用開口部３と外部接続端子用開口部９とはあい対する位置にくるように配置される。リアカバー１とフロントケース８が嵌合したキー側筐体２０内に印刷配線基板６が収納実装される。ねじ１０はこの印刷配線基板６を介してリアカバー１とフロントケース８を締結する。
【００２２】
印刷配線基板６上には２個の外部接続端子７が搭載実装され、半田付けにより印刷配線基板６の配線パターンに接続される。この外部接続端子７は、上述した外部接続端子用開口部３、９から外部に露出するように設けられ、後述する外部端子１１が接続できる。さらに印刷配線基板６上には、この外部接続端子７をそれぞれ覆う位置に２個の充電端子４が搭載実装され、同じく半田付けにより印刷配線基板６の配線パターンに接続される。この充電端子４は、上述した充電端子窓部２から外部に露出するように設けられる。また充電端子４は外部接続端子７を覆うごときコの字形状部５を有してなり、充電端子４が外部接続端子７を覆うように搭載実装されたときに両端子間にはほんの僅かのすきましか生じない寸法関係となっている。なおコの字形状部５の下面は、インサート成形時に樹脂等により絶縁処理が施されている。また充電端子４は、携帯電話機の組み立て工程において、他の実装部品とともに印刷配線基板６に対し自動搭載に対応できる部品となっている。
【００２３】
このような構成からなるこの実施の形態の組み立て状況について述べる。印刷配線基板６上に外部接続端子７を搭載実装し、半田付けにより印刷配線基板６の配線パターンに接続する。この外部接続端子７の上に外部接続端子７を覆うように充電端子４を搭載実装し、同じく半田付けにより印刷配線基板６の配線パターンに接続する。このとき、充電端子４のコの字形状部５が外部接続端子７を覆う形となり、両端子間にほんの僅かのすきましか生じない状態となる。このように外部接続端子７と充電端子４を搭載してユニット状になった印刷配線基板６をフロントケース８に収納する。このフロントケース８に対しリアカバー１を嵌合し、印刷配線基板６を介して両者をねじ１０で締結することで装置状態となる。このとき、リアカバー１の充電端子窓部２から充電端子２が露出することとなり、装置状態での充電機能が満足される。また、フロントケース８とリアカバー１のそれぞれにある外部接続端子用開口部３、９から外部接続端子７が露出し、そこから外部端子１１を接続することができる状態となる。
【００２４】
次に、この実施の形態の動作について図２を参照して説明する。外部端子１１を外部接続端子用開口部３、９から露出している外部接続端子７に接続する。このとき、外部端子１１を矢印Ａで示すように上下方向にこじるように動かした場合に、印刷配線基板６がリアカバー１を介してねじ１０でフロントケース８に固定されているので、外部接続端子７には印刷配線基板６から剥離する方向に力が働いてしまう。しかし、外部接続端子７にはこれを覆うごとくに僅かのすきまをもって充電端子４が印刷配線基板６に接続されているため、こじられた外部接続端子７が充電端子４のコの字形状部５の下面に当接し、印刷配線基板６から剥離しようとする力が減じられる。また当接によって充電端子４を介して印刷配線基板６は矢印Ａ方向に追従する。即ち、外部端子１１の動きに対して印刷配線基板６を追従させ、外部接続端子７に加わる印刷配線基板６からの剥離方向の力を阻止する作用が生じることとなる。なお、外部接続端子７と充電端子４が当接しても、充電端子４のコの字形状部５の下面には樹脂等により絶縁処理が施されているため、両端子が短絡する恐れはない。
【００２５】
次に、本発明の第２の実施の形態について説明する。図３は第２の実施の形態の外部接続端子保持構造における印刷配線基板の斜視図、図４は第２の実施の形態の動作を示す要部断面図である。
【００２６】
この第２の実施の形態の構成は、図１にて説明した第１の実施の形態のキー側筐体２０の構成と殆ど同様であり、異なっているのは印刷配線基板上に搭載実装される部品のみである。従って、印刷配線基板の構成を除く他の構成部分については説明を省略する。
【００２７】
図３に示すように、印刷配線基板１６上には２個の外部接続端子７が搭載実装され、半田付けにより印刷配線基板１６の配線パターンに接続される。この外部接続端子７は、リアカバー１とフロントケース８の外部接続端子用開口部３、９から外部に露出するように設けられ、外部端子１１が接続できる。さらに印刷配線基板１６上には、この外部接続端子７をそれぞれ覆う位置に板状部材としての２個のブラケット１４が搭載実装され、印刷配線基板１６にねじ止め等によって固定される。このブラケット１４は外部接続端子７を覆うごときコの字形状部１５を有してなり、ブラケット１４が外部接続端子７を覆ったときに両者間にはほんの僅かのすきましか生じない寸法関係となっている。なおコの字形状部５の下面は樹脂等により絶縁処理が施される。また図示しないが、印刷配線基板１６上の他の位置には充電端子が搭載実装され、リアカバー１の充電端子窓部から外部に露出するようになっていて、充電機能が満足される。
【００２８】
次に、この第２の実施の形態の動作について図４を参照して説明する。外部端子１１を外部接続端子用開口部３、９から露出している外部接続端子７に接続する。このとき、外部端子１１を矢印Ａで示すように上下方向にこじるように動かした場合に、印刷配線基板１６がリアカバー１を介してねじ１０でフロントケース８に固定されているので、外部接続端子７には印刷配線基板１６から剥離する方向に力が働いてしまう。しかし、外部接続端子７にはこれを覆うごとくに僅かのすきまをもってブラケット１４が印刷配線基板１６に接続されているため、こじられた外部接続端子７がブラケット１４のコの字形状部１５の下面に当接し、印刷配線基板１６から剥離しようとする力が減じられる。また当接によってブラケット１４を介して印刷配線基板１６は矢印Ａ方向に追従する。即ち、外部端子１１の動きに対して印刷配線基板１６を追従させ、外部接続端子７に加わる印刷配線基板１６からの剥離方向の力を阻止する作用が生じることとなる。なお、外部接続端子７とブラケット１４が当接しても、ブラケット１４のコの字形状部１５の下面には樹脂等により絶縁処理が施されているため、両者が短絡する恐れはない。
【００２９】
このように第２の実施の形態においては、上述した第１の実施の形態の充電端子に代わり、充電機能を持たない板状部材としてのブラケットを用いることにより、第１の実施の形態と同様に外部接続端子７に加わる剥離方向の力を阻止することができる。
【００３０】
なお、上述した実施の形態では、印刷配線基板上に２個の外部接続端子７を搭載実装するように例示したが、これに限定することなく、１個もしくは３個以上の外部接続端子７を搭載実装してもよい。
【００３１】
また、上述した実施の形態では、本発明にかかる外部接続端子保持構造を折畳み式携帯電話機に適用した場合を例にとって説明したが、これに限定することなく、ＰＨＳ電話機、コードレス電話機など他の携帯端末機器に適用してもよいことは勿論である。
【図面の簡単な説明】
【００３２】
【図１】本発明の第１の実施の形態の外部接続端子保持構造の分解斜視図である。
【図２】第１の実施の形態の動作を示す要部断面図である。
【図３】本発明の第２の実施の形態の外部接続端子保持構造における印刷配線基板の斜視図である。
【図４】第２の実施の形態の動作を示す要部断面図である。
【図５】従来の電子機器における外部接続端子保持構造を示す（ａ）は要部斜視図、（ｂ）は要部断面図である。
【符号の説明】
【００３３】
１、３１    リアカバー
２    充電端子窓部
３、９    外部接続端子用開口部
４    充電端子
５、１５    コの字形状部
６、１６、３４    印刷配線基板
７、３３    外部接続端子
８、３２    フロントケース
８ａ    ヒンジ部
１０    ねじ
１１    外部端子
１４    ブラケット
２０    キー側筐体
３０    電子機器
３５    取付部
３６    箱状リブ
【図１】
2005079452.tif 000003
【図２】
2005079452.tif 000004
【図３】
2005079452.tif 000005
【図４】
2005079452.tif 000006
【図５】
2005079452.tif 000007